(57)【要約】【課題】薄型化を実現するとともに、表示パネルの表示面の反対側を照明する光の輝度を均一化することができる面発光装置及び表示装置を提供する。【解決手段】面発光装置は、複数の枠体４３、複数のプリント基板４１を備える。枠体４３は、中心に開口部４３３が形成された矩形状の底部４３１、及び底部４３１の周縁全周に設けられた周壁４３２を有し、底部４３１の対向面が開放されており、マトリックス状に配置される。プリント基板４１は、一列に実装された複数の光源４２のそれぞれが各枠体４３の開口部４３３を外側から貫通するように配置される。周壁４３２は、光源４２より表示パネル３側に突出し、且つ底部４３１の対向面側が底部４３１側より外側に位置するように形成されている。隣接する周壁４３２の延長線上の交点Ｏ又は隣接する周壁４３２の曲面における最も表示パネル３側の接線の交点Ｏが、表示パネル３よりもプリント基板４１側に位置する。【選択図】  図３
2013025945.tif 000002
【特許請求の範囲】
【請求項１】
表示パネルの表示面の反対側と対向配置される面発光装置であって、
複数の光源を一列に実装した複数の基板と、
中心に光源が配置される開口部が形成された矩形状の底部、及び前記底部の周縁全周に設けられた周壁を有し、前記底部の対向面が開放された複数の枠体と、を備え、
前記複数の枠体は、マトリックス状に配置され、
前記複数の基板は、前記複数の光源のそれぞれが前記複数の枠体の開口部のそれぞれを外側から貫通するように配置され、
前記複数の枠体のそれぞれの周壁は、前記複数の光源より前記表示パネル側に突出し、且つ、少なくとも前記底部の対向面側が前記底部側より外側に位置するように形成されており、
隣接する枠体のそれぞれの周壁の延長線上の交点又は前記隣接する枠体のそれぞれの周壁の曲面における最も前記表示パネル側の接線の交点が、前記表示パネルよりも前記基板側に位置し、
前記複数の光源は、少なくともそれぞれが配置された枠体の底部及び周壁に向かって光を照射する面発光装置。
【請求項２】
前記枠体は、前記底部の内面及び前記周壁の内面に、光を反射する反射板を有する請求項１に記載の面発光装置。
【請求項３】
前記表示パネル側で、且つ前記基板と対向配置される拡散板であって、光を拡散して面発光する拡散板をさらに備える請求項１又は請求項２に記載の面発光装置。
【請求項４】
前記枠体の底部の形状は、正方形である請求項１〜請求項３の何れかに記載の面発光装置。
【請求項５】
前記複数の光源は、
前記表示パネルに発光面を向けて配置された発光素子と、
前記発光素子の発光面を覆うように配置されたレンズであって、前記発光素子からの光を偏光して、それぞれが配置された枠体の底部及び周壁を少なくとも照射させるレンズと、を有する請求項１〜請求項４の何れかに記載の面発光装置。
【請求項６】
画像を表示する表示パネルと、
前記表示パネルの表示面の反対側と対向配置される請求項１〜請求項５に記載の面発光装置と、を備える表示装置。
【発明の詳細な説明】
【技術分野】
【０００１】
この発明は、表示パネルを照明する面発光装置及び面発光装置を備えた表示装置に関する。
【背景技術】
【０００２】
表示装置は、画像を表示する表示パネルと表示パネルを背面から照明する面発光装置とを備え、液晶テレビ、携帯電話、ディスプレイ等に用いられる。近年、電力消費量の削減及び薄型化の傾向が高まり、特に面発光装置における電力消費量の削減及び薄型化が課題となっている。
【０００３】
面発光装置は、表示パネルの背面に配置された複数の光源からの光を表示パネルに直接照射する直下型のバックライト方式を採用し、電力消費量を削減することができるローカルディミング技術を適用しているものがある。ローカルディミング技術では、表示パネル上に表示される画像の明度に応じて、表示パネルを背面側から直接照射する複数の光源の発光量を個々に制御してコントラストを高めることで、表示パネルに表示される同一画面内において異なるエリアのコントラスト比を大幅に高めることができる。
【０００４】
ローカルディミング技術を適用した面発光装置には、基板、複数の光源、周壁及び拡散板を備えるものがある（例えば、特許文献１参照。）。複数の光源は、発光面を拡散板側に向けて基板上に実装されており、発光量を個々に制御するエリア毎に分割される。周壁は、各エリアを分割するように各エリアの間に基板から突出しており、エリア外への光の漏れを防止する。拡散板は、表示パネルの背面側で、且つ複数の光源を挟んで基板と対向配置され、各光源からの光を拡散する。拡散後の光によって、表示パネルは背面側から照明される。
【先行技術文献】
【特許文献】
【０００５】
【特許文献１】特開２０１０−２３８４２０号公報
【発明の概要】
【発明が解決しようとする課題】
【０００６】
特許文献１に記載の面発光装置は、拡散板の背面における全エリアに光源が配置されており、光源の発光面を拡散板側に向けて拡散板に光を直接照射しているため、光源からの光を均一に拡張可能にするために、光源の発光面から拡散板までの光路長を一定値以上にする必要がある。さらに、各エリアを区切る周壁の先端に光が照射されない場合には、周壁の先端に対向する拡散板の箇所に光が照射されないため、各エリアを区切る周壁に沿って、表示パネルの背面を照明する光の輝度が低下するという問題が生る。
【０００７】
この発明の目的は、光源からの光を表示パネルの表示面の反対側へ間接的に照射し、且つ周壁の先端部の形状を光の照射を妨げない形状とすることで、薄型化を実現するとともに、表示パネルの表示面の反対側を照明する光の輝度を均一化することができる面発光装置を提供することである。
【課題を解決するための手段】
【０００８】
この発明の面発光装置は、複数の基板、及び複数の枠体を備え、表示パネルの表示面の反対側と対向配置される。複数の基板は、それぞれ複数の光源を一列に実装している。複数の枠体は、中心に光源が配置される開口部が形成された矩形状の底部、及び底部の周縁全周に設けられた周壁を有し、底部の対向面が開放されている。複数の枠体は、マトリックス状に配置されている。複数の基板は、複数の光源のそれぞれが複数の枠体の開口部のそれぞれを外側から貫通するように配置されている。複数の枠体のそれぞれの周壁は、複数の光源より表示パネル側に突出し、且つ、少なくとも底部の対向面側が底部側より外側に位置するように形成されている。隣接する枠体のそれぞれの周壁の延長線上の交点又は隣接する枠体のそれぞれの周壁の曲面における最も表示パネル側の接線の交点が、表示パネルよりも基板側に位置する。複数の光源は、少なくともそれぞれが配置された枠体の底部及び周壁に向かって光を照射する。
【０００９】
この構成では、光源からの光を枠体の底部又は周壁で反射して、表示パネルの表示面の反対側に間接的に照射するため、光源からの光を表示パネルの表示面の反対側に直接照射するよりも、光路長が長くなる。また、隣接する枠体のそれぞれの周壁の延長線上の交点、又は、隣接する枠体のそれぞれの周壁の曲面における最も表示パネル側の接線の交点が、表示パネルより基板側に位置することから、同じ長さの周壁で且つ当該交点が表示パネルを超えて位置する周壁よりも、隣接する枠体のそれぞれ周壁が成す先端部に形成される平面の面積が小さくなる。
【００１０】
この構成において、枠体は、底部の内面及び周壁の内面に、光を反射する反射板を有する構成であることが好ましい。これにより、枠体の底部及び周壁で光源からの光が高い反射効率で反射されるため、複数の枠体のそれぞれにおける周壁の上方へ照射される光の光量の不足を防ぐことができ、表示パネルの表示面の反対側を照明する光の輝度をより均一化することができる。
【００１１】
また、表示パネル側で、且つ基板と対向配置される拡散板であって、光を拡散して面発光する拡散板を備えた面発光装置に適用することができる。
【００１２】
また、枠体の底部の形状は、正方形であることが好ましい。これにより、表示パネルの表示面の面積に応じて枠体を配置することで、表示パネルの面積に応じた面発光装置を用いることができ、表示パネルの表示面の反対側を漏れなく照射することができる。
【００１３】
また、複数の光源は、表示パネルに発光面を向けて配置されたＬＥＤ等の発光素子と、発光素子の発光面を覆うように配置されたレンズであって、発光素子からの光を偏光して、少なくともそれぞれが配置された枠体の底部及び周壁を照射させるレンズと、を有する構成であることが好ましい。
【００１４】
これにより、発光素子からの光を確実に枠体の底部及び周壁に照射することができる。
【発明の効果】
【００１５】
この発明の面発光装置は、薄型化を実現するとともに、表示パネルの表示面の反対側を照明する光の輝度を均一化することができる。
【図面の簡単な説明】
【００１６】
【図１】この発明の実施形態に係る表示装置の概略の断面図である。
【図２】同表示装置における面発光装置の基板及びフレーム材の平面図である。
【図３】図３（Ａ）は同面発光装置の枠体の平面図で、図３（Ｂ）は枠体の断面図である。
【図４】拡散板の取り付け前における、同面発光装置の平面図である。
【図５】同面発光装置の光源の正面図である。
【図６】同面発光装置における、第１領域の照射領域の説明図である。
【図７】同面発光装置における、第２領域の照射領域の説明図である。
【図８】同面発光装置における、隣接する周壁が成す先端部の形状毎の第２領域の照射領域の説明図である。
【図９】同面発光装置における、第１領域及び第２領域の合算の照射領域の説明図である。
【図１０】同面発光装置の枠体の金型の断面図である。
【図１１】図１０（Ａ）は同面発光装置の支持部品の正面図で、図１０（Ｂ）は、支持部品を取り付けた際の同面発光装置の断面図で、図１０（Ｃ）は、支持部品を取り付けた際の同面発光装置の平面図である。
【図１２】他の形状の枠体の周壁の断面図である。
【図１３】他の形状の枠体の周壁の断面図である。
【発明を実施するための形態】
【００１７】
この発明に係る面発光装置４及び表示装置１について、図を参照して以下に説明する。図１に示すように、表示装置１は、フレーム材２と表示パネル３と面発光装置４とを備える。表示装置１は、例えば、液晶テレビ、携帯電話、ディスプレイ等に用いられる。
【００１８】
フレーム材２は、表示パネル３及び面発光装置４を固定して保持する。
【００１９】
表示パネル３は、表示面に文字や画像が表示される。例えば、表示パネル３は、外部から入力された動画、静止映像、文字等が表示される液晶パネルや、文字や画像が描写される表示板である。
【００２０】
面発光装置４は、プリント基板４１、光源４２、枠体４３、及び拡散板４４を備え、表示パネル３の表示面の反対側（以下、背面側と称する。）を照明する。
【００２１】
プリント基板４１は、拡散板４４を挟んで、表示パネル３の背面側に対向配置される。図２に示すように、プリント基板４１は、長方形状を呈し、長手方向に沿って複数の光源４２が所定の間隔を設けて一列に実装される。複数のプリント基板４１は、互いに平行になるようにフレーム材２に取り付けられる。
【００２２】
光源４２は、発光素子であるＬＥＤ（発光ダイオード）４２１及びレンズ４２２を備える。ＬＥＤ４２１は、通電すると、発光する。レンズ４２２は、プラスチック製で、ＬＥＤ４２１によって発光した光を偏光して、所定の照射領域に照射する。
【００２３】
図３に示すように、複数の枠体４３は、マトリックス状に配置されており、金型５（図１０参照。）によって一体成形される。枠体４３は、正方形の形状を呈する底部４３１と、底部４３１の周縁全周に設けられた周壁４３２と、を有し、底部４３１と対向する対向面が開放されている。なお、底部４３１の形状は矩形であればよく正方形に限らない。底部４３１の形状が正方形の場合、表示パネル３の表示面の面積に応じて枠体４３を配置することができ、表示パネル３の表示面の面積に応じて面発光装置４のサイズを定めることができ、表示パネル３の背面側を漏れなく照射することができる。
【００２４】
底部４３１の中心は、光源４２が配置される開口部４３３が形成されている。周壁４３２は、底部４３１の対向面側の開放端４３２１が底部４３１側の固定端４３２２より外方に向けて傾斜するように形成されている。
【００２５】
枠体４３は、光の反射効率が高い樹脂で成形されている。なお、枠体４３は、反射板であってもよく、底部４３１及び周壁４３２の内面に反射板を貼り付けてもよい。また、底部４３１及び周壁４３２の内面に反射効率が高い液体を塗布してもよい。
【００２６】
図４に示すように、複数の枠体４３は、プリント基板４１上に配置される。プリント基板４１に実装された複数の光源４２のそれぞれは、複数の枠体４３のそれぞれの開口部４３３を外側から貫通する。プリント基板４１上に複数の枠体４３を配置した状態で、周壁４３２の開放端４３２１は、光源４２よりも表示パネル３側に突出する。
【００２７】
拡散板４４は、表示パネル３の背面側と対向配置され、光源４２から照射された光を拡散して面発光する。拡散板４４は、周縁部（不図示）がフレーム材２によって支持される。なお、拡散板４４は、面発光装置４が備えずに、表示パネル３が備えるものであってもよい。
【００２８】
以上のような構成で、面発光装置４は、直下型のバックライト方式を採用し、ローカルディミング技術を適用している。
【００２９】
次に、光源４２の所定の照射領域について、図５〜９について説明する。
【００３０】
図５に示すように、ＬＥＤ４２１は、表示パネル３側に発光面４２１１を向けて、プリント基板４１に取り付けられる。
【００３１】
レンズ４２２は、円柱状を呈し、底面４２２１の中心にＬＥＤ４２１が配置される凹部４２２２が形成されている。レンズ４２２は、凹部４２２２が形成されており、ＬＥＤ４２１の発光面４２１１を覆うように、凹部４２２２にＬＥＤ４２１を収納する。レンズ４２２は、プリント基板４１に取り付けられる。
【００３２】
底面４２２１の対向面４２２３は、中心近傍に水平面が形成され、中心側から外側に向かってプリント基板４１と対向する側を凸形状とする曲面が形成される。対向面４２２３は、外側の端点Ｐ１から頂点Ｐ２に向かって上方（底面４２２１から対向面４２２３へ向かう方向）に傾斜した第１領域Ｒ１と、頂点Ｐ２から水平面と曲面の境界地点Ｐ３に向かって下方（対向面４２２３から底面４２２１に向かう方向）に傾斜した第２領域Ｒ２と、を有する。
【００３３】
図６に示すように、ＬＥＤ４２１からの光は、レンズ４２２の外側の端点Ｐ１の近傍を通過すると、枠体４３の周壁４３２の上方の拡散板４４に直接照射され、レンズ４２２の頂点Ｐ２の近傍を通過すると、レンズ４２２の周縁近傍の拡散板４４に直接照射される。
【００３４】
以上より、ＬＥＤ４２１からの光は、第１領域Ｒ１を通過すると、レンズ４２２の周縁近傍から枠体４３の周壁４３２までの範囲における拡散板４４の上方に直接照射される。第１領域Ｒ１における照射領域は、図６における縦線のハッチング領域に一致する。
【００３５】
また、第１領域Ｒ１を通過した光は、第２領域Ｒ２を通過した光より光量が低い。特に、拡散板４４を照射する光の光量は、光源４２から離間するほど低下する。第１領域Ｒ１を通過した光のみでは、枠体４３の周壁４３２に近づくほど、拡散板４４を照射する光量が不足する。
【００３６】
図７に示すように、ＬＥＤ４２１からの光は、レンズ４２２の頂点Ｐ２の近傍を通過すると、枠体４３の底部４３１におけるレンズ４２２の周縁近傍に直接照射され、反射した光が拡散板４４に照射される。また、レンズ４２２の境界地点Ｐ３の近傍を通過すると、底部４３１に平行な光として周壁４３２に直接照射され、反射した光が拡散板４４に照射される。
【００３７】
ＬＥＤ４２１からの光は、レンズ４２２の頂点Ｐ２の近傍と境界地点Ｐ３の近傍との間を通過すると、枠体４３の底部４３１に直接照射される。底部４３１で反射した光は、周壁４３２の開放端４３２１で反射すると、周壁４３２の開放端４３２１の上方の拡散板４４に照射され、周壁４３２の開放端４３２１の上方を通過すると、隣接する枠体４３の周壁４３２の近傍の上方の拡散板４４に照射される。
【００３８】
以上より、ＬＥＤ４２１からの光は、第２領域Ｒ２を通過すると、枠体４３の底部４３１及び周壁４３２に直接照射され、反射した光が拡散板４４に照射される。
【００３９】
具体的には、図８（Ａ）に示すように、隣接する枠体４３のそれぞれの周壁４３２（以下、隣接する周壁４３２と称する。）が成す先端部の形状が鋭角の場合に、周壁４３２の開放端４３２１で反射した光は、開放端４３２１の上方の拡散板４４に照射される。すなわち、隣接する周壁４３２の開放端４３２１で反射した光は、開放端４３２１の上方の拡散板４４に照射されるため、先端部の上方の拡散板４４に隙間なく照射される。これにより、先端部の上方の拡散板４４を照射する光の光量を維持することができ、表示パネル３の背面側を照明する光の輝度を均一化することができる。なお、隣接する周壁４３２が成す先端部の形状は、鋭角に限らず、直角又は鈍角であってもよい。先端部の形状が直角及び鈍角であっても、隣接する周壁４３２の開放端４３２１で反射した光は、先端部の上方の拡散板４４に隙間なく照射される。
【００４０】
図８（Ｂ）に示すように、隣接する周壁４３２が成す先端部の形状が平面で、且つ隣接する周壁４３２の延長線上の交点Ｏが拡散板４４よりプリント基板４１側に位置する場合に、周壁４３２の傾斜面における最も開放端４３２１側の箇所で反射した光は、当該箇所の上方の拡散板４４に照射される。すなわち、隣接する周壁４３２の傾斜面における最も開放端４３２１側の箇所で反射した光は、先端部の上方の拡散板４４に僅かな隙間Ｍ１を設けて照射される。拡散板４４における僅かな隙間Ｍ１は、第１領域Ｒ１を通過した光や、先端部の上方を通過する光によって照射される。これにより、先端部の上方の拡散板４４を照射する光の光量を維持することができ、表示パネル３の背面側を照明する光の輝度を均一化することができる。
【００４１】
図８（Ｃ）に示すように、隣接する周壁４３２が成す先端部の形状が平面で、且つ隣接する周壁４３２の延長線上の交点Ｏが拡散板４４を越える場合に、周壁４３２の傾斜面における最も開放端４３２１側の箇所で反射した光は、当該箇所の上方の拡散板４４に照射される。すなわち、隣接する周壁４３２の傾斜面における最も開放端４３２１側の箇所で反射した光は、先端部の上方の拡散板４４に隙間Ｍ２を設けて照射される。拡散板４４における隙間Ｍ２は、第１領域Ｒ１を通過した光や、先端部の上方を通過する光によって照射されるが、隙間Ｍ２が広いため、隙間Ｍ２を照射する光の光量を維持することができない。
【００４２】
以上より、枠体４３の周壁４３２の固定端４３２２から開放端４３２１までも距離Ｌ２と、周壁４３２の開放端４３２１から拡散板４４までの距離Ｌ１が等しい場合において、隣接する周壁４３２の開放端４３２１の延長線上の交点Ｏが拡散板４４よりプリント基板４１側に位置する場合には、隙間Ｍ１が僅かに形成されるだけであるから拡散板４４を照射する光量を維持することができ、当該交点Ｏが拡散板４４を越える場合には、隙間Ｍ２が広いため拡散板４４を照射する光量を維持することができない。
【００４３】
第２領域Ｒ２における照射領域は、隣接する周壁４３２の開放端４３２１の延長線上の交点Ｏが拡散板４４よりプリント基板４１側に位置する場合に、図７における縦線のハッチング領域に一致する。
【００４４】
また、第１領域Ｒ１における照射領域と第２領域Ｒ２における照射領域とを合算した照射領域は、図９におけるハッチング領域に一致する。さらに、ＬＥＤ４２１の発光面４２１１の近傍も照射される。面発光装置４は、拡散板４４を間接的に照射することで光路長を長くすることができ、光源４２のＬＥＤ４２１の発光面４２１１から拡散板４４までの上下方向の距離を短くすることができるため、薄型化を実現することができる。面発光装置４は、枠体４３の周壁４３２の上方の拡散板４４にも光を照射することができるため、表示パネル３の背面側を照明する光の輝度を均一化することができる。
【００４５】
次に、枠体４３を成形する金型５について図１０を参照して説明する。マトリックス状に配置された複数の枠体４３は、図１０に示す金型５を用いて一体成形される。金型５は、本体部５１、コア部５２、コア部５３、及び可動部５４を備える。本体部５１は、コア部５２，５３が格納される凹部５１１が形成されている。コア部５２，５３は、それぞれ、互いに隣接する一辺に傾斜面５２１，５３１が形成されている。可動部５４は、先端が鋭角な凸部５４１が形成されており、本体部５１に対して垂直方向に可動自在になっている。可動部５４は、本体部５１の凹部５１１にコア部５２，５３を格納した状態で、凸部５４１がコア部５２，５３の傾斜面５２１，５３１と対向するように、配置される。本体部５１と可動部５４との間には、溶けたプラスチックの原料が流し込まれる。プラスチックの原料が固まると、可動部５４を本体部５１から離間する方向へ可動させて、プラスチック製の枠体４３を取り出す。コア部５２，５３の傾斜面５２１，５３１が枠体４３の周壁４３２を成形し、本体部５１、コア部５２，５３の底面が枠体４３の底部４３１を成形する。
【００４６】
コア部５２，５３は、使用により、割れ、摩耗あるいは塑性変形といった損傷が発生するため、取替え可能になっている。また、コア部５２，５３は、別体とせずに一体とすると、くり貫き加工により形成されるため、隣接する周壁４３２が成す先端部が平面になることがある。コア部５２，５３は、別体とすることで、隣接する周壁４３２が成す先端部をより鋭角、直角、鈍角にすることができる。
【００４７】
なお、拡散板４４は、フレーム材２の他に、複数の枠体４３の交点に立設された支持部品６によって支持してもよい。図１１（Ａ）に示すように、支持部品６は、円形状の底部６１、底部６１の中心に立設する細長い円柱状の本体部６２、及び本体部６２の先端部６３を備える。先端部６３は、円錐形状を呈し、先端が鋭角に形成されている。図１１（Ｂ），（Ｃ）に示すように、支持部品６は、マトリックス状に配置された複数の枠体４３のそれぞれの周壁４３２の交点に配置される。支持部品６は、交差する枠体４３のそれぞれの周壁４３２の内部に配置されており、交差する枠体４３のそれぞれの周壁４３２から先端部６３を突出させて拡散板４４に当接させることで、拡散板４４を支持する。
【００４８】
これにより、面発光装置４は、大型化しても、拡散板４４をたわみなく支持することができる。また、面発光装置４は、鋭角な先端部６３によって拡散板４４を支持するため、光源４２からの光の照射を妨げることがない。
【００４９】
なお、図１２に示すように、枠体４３の周壁４３２の形状は、傾斜面に限らない。例えば、図１２（Ａ）に示すように、周壁４３２Ａは、傾斜面４３２３Ａの先端に、傾斜面４３２３Ａより傾斜が急な傾斜面４３２４Ａを有する形状であってもよい。図１２（Ｂ）に示すように、周壁４３２Ｂは、傾斜面４３２３Ｂの先端に曲面４３２４Ｂを有する形状であってもよい。図１２（Ｃ）に示すように、周壁４３２Ｃは、底部４３１Ｃに垂直な壁面４３２３Ｃの先端に曲面４３２４Ｃを有する形状であってもよい。図１２（Ｄ）に示すように、周壁４３２Ｄは、底部４３１Ｄに垂直な壁面４３２３Ｄの先端に傾斜面４３２４Ｄを有する形状であってもよい。以上のように、隣接する周壁４３２の先端部の形状は、鋭角、直角、鈍角又は曲面に形成されればよい。すなわち、枠体４３の周壁４３２の形状は、開放端４３２１が固定端４３２２より外方に位置するように形成されればよい。
【００５０】
開放端４３２１が固定端４３２２より外方に位置する場合に、光源４２からの光は、隣接する周壁４３２の開放端４３２１に照射され、反射した光は、隣接する周壁４３２が成す先端部の上方の拡散板４４に照射される。これにより、複数の枠体４３の周壁４３２に沿って拡散板４４を照射する光の光量が不足することがないため、表示パネル３の背面側を照明する光の輝度を均一化することができる。
【００５１】
また、図１３（Ａ）に示すように、隣接する周壁４３２Ａが成す先端部の形状が平面の場合には、隣接する周壁４３２Ａの開放端４３２１側の傾斜面４３２４Ａの延長線上の交点Ｏを、拡散板４４よりプリント基板４１側に位置させれば、拡散板４４における隙間Ｍ３を僅かにすることができる。
【００５２】
図１３（Ｂ）に示すように、隣接する周壁４３２Ｂが成す先端部の形状が平面の場合には、隣接する周壁４３２Ｂの開放端４３２１側の曲面４３２４Ｂの接線の交点Ｏを、拡散板４４よりプリント基板４１側に位置させれば、拡散板４４における隙間Ｍ４を僅かにすることができる。
【００５３】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００５４】
１…表示装置
３…表示パネル
４…面発光装置
４１…プリント基板
４２…光源
４３…枠体
４４…拡散板
４２１…ＬＥＤ
４２２…レンズ
４３１…底部
４３２…周壁
４３３…開口部
４２１１…発光面
４３２１…開放端
４３２２…固定端
【図１】
2013025945.tif 000003
【図２】
2013025945.tif 000004
【図３】
2013025945.tif 000005
【図４】
2013025945.tif 000006
【図５】
2013025945.tif 000007
【図６】
2013025945.tif 000008
【図７】
2013025945.tif 000009
【図８】
2013025945.tif 000010
【図９】
2013025945.tif 000011
【図１０】
2013025945.tif 000012
【図１１】
2013025945.tif 000013
【図１２】
2013025945.tif 000014
【図１３】
2013025945.tif 000015